(57)【要約】【課題】外枠に収納した引出しと前記外枠の前記引出しの上方に位置する部分との間のクリアランスを隠すことができ、しかも設計自由度を向上でき、さらに、引出しのレール状突片に突設されている山状部を外枠の案内溝に形成されている凹部から離脱させた状態における外枠に対する引出しの移動抵抗の低減も実現できる収納ケースの提供。【解決手段】引出し３０を挿脱可能に収納する外枠２０の案内溝２６の後側に、引出し３０のレール状突片３６の後端部に突設されている山状部３７が嵌る凹部２７が設けられている構成の収納ケース１０を提供する。【選択図】図３
2010200973.tif 000002
【特許請求の範囲】
【請求項１】
外枠と、該外枠に対し押し込み及び引き出しが可能である引出しと、を備えた収納ケースであって、
前記引出しには、該引出しの底面から下方に突出して、該引出しの前記外枠に対する押し込み及び引出しの操作を行うための取っ手が設けられている前側から後側に亘って互いに平行に延びる２本のレール状突片が設けられ、
前記外枠には、前記引出しの前記レール状突片が挿入される２本の案内溝が前後方向に延在して互いに平行に形成され、
前記２本の案内溝はその深さ寸法が前記レール状突片の前記山状部を除く部分の前記引出しの底面からの突出寸法よりも小さく形成され、しかも後側に前記レール状突片の後側の下面に突出する山状部が嵌まる凹部が形成されていることを特徴とする収納ケース。
【請求項２】
前記レール状突片は、前記引出しの底面から突出先端に向かって先細りのテーパ形状に形成されていることを特徴とする請求項１記載の収納ケース。
【請求項３】
前記レール状突片の後端が、前記引出しの前側に行くにしたがって前記引出しの底面からの突出寸法が増大するテーパ状部とされていることを特徴とする請求項１又は２記載の収納ケース。
【発明の詳細な説明】
【技術分野】
【０００１】
本発明は、外枠と、内部に衣類等の物品を入れた状態で、該外枠に対し押し込み及び引き出しが可能である引出しと、を備えた収納ケースに関するものである。
【背景技術】
【０００２】
従来から、四角枠状の外枠と、衣類等の物品を入れた状態で該外枠に対し押し込み及び引き出しが可能である引出しとを備えた収納ケースが知られている。
また、この収納ケースとしては、図１０（ａ）、（ｂ）に示すように、引出し１１０の底部から下方（図１０（ａ）、（ｂ）の下側）に突出して手前側（引出し１１０において取っ手１１１が形成されている前面板１１２が設けられている側）から奥側に亘って互いに平行に延びる２本の引出し側レール１１３の前側に突設されている山状部１１４が、外枠１２０の底板１２１の前側にその上面１２２から窪むように形成された凹部１２３に嵌り込む（図１０（ａ）参照）ことで、前記引出し１１０が外枠１２０内に収納された状態を安定に維持できるようにしたものが提案されている（例えば特許文献１）。
なお、２本の引出し側レール１１３は、引出し１１０の前後方向（図１０（ａ）、（ｂ）左右方向）に互いに平行に延在しており、図１０（ａ）、（ｂ）の紙面奥行き方向に２本設けられている。
【先行技術文献】
【特許文献】
【０００３】
【特許文献１】特許第４０３８４６１号公報
【発明の概要】
【発明が解決しようとする課題】
【０００４】
しかしながら、上述の収納ケースには、以下のような不満（課題）があった。
（１）図１０（ｂ）に示すように、上記収納ケース１００は、外枠１２０の前側開口部１２４から引き出されている状態の引出し１１０を外枠１２０に押し込んで外枠１２０内に収納する際、引出し１１０の引出し側レール１１３の山状部１１４が、外枠１２０の底板１２１における前記前側開口部１２４と前記凹部１２３との間に位置する部分（以下、山状部乗り上げ部１２５）を乗り越えて外枠１２０の凹部１２３に嵌り込むようになっている。図１０（ａ）に示すように、引出し１１０を外枠１２０に収納した状態にあっては、引出し１１０の前面板１１２を除く部分と外枠１２０の天板１２６との間に比較的大きいクリアランス（隙間）が形成される。このため、埃の侵入防止や美観確保のため、大型の前面板１１２を採用して前記クリアランスを隠す必要があった。
図示例の収納ケース１００の引出し１１０は、長方形板状の底板１１５の外周の３辺に側板部１１６を立設した構成の引出し本体１１７に、該引出し本体１１７とは別体の前面板１１２を取り付けて前記底板１１５上に３つの側板部１１６と前面板１１２とからなる四角枠状の側壁部を設けた構成である。前記前面板１１２は前記クリアランスを隠すために前記引出し本体１１７から上方（図１０（ａ）、（ｂ）において上側）に突出した状態に設けられる。
また、この収納ケース１００としては、引出し１１０の引出し側レール１１３の山状部１１４が山状部乗り上げ部１２５を乗り越えることを可能にするために、引出し本体１１７を外枠１２０内に収納したときに前記前面板１１２が外枠１２０の外側（図１０（ａ）、（ｂ）において左側。以下、前面側）に配置される構成が採用される。このため、この収納ケース１００では引出し１１０の手前側部分の設計に制約があり、収納ケース１００全体の意匠の制約も大きい（例えば引出し本体１１７を外枠１２０内に収納したときに前面板１１２も外枠１２０内に収納される構成にすると前記クリアランスが目立つようになる）といった不満があった。
【０００５】
（２）図１０（ａ）、（ｂ）に例示した収納ケース１００の引出し１１０の取っ手１１１は前面板１１２の下端部に設けられている。取っ手を、前面板１１２の上端部にした場合は、使用者が、外枠１２０に収納されている引出し１１０の引き出し操作を行う際に、前面板１１２に下方への押圧力を作用させてしまう傾向がある。前面板１１２に下方への押圧力を作用させると、外枠１２０の凹部１２３内にある引出し側レール１１３の山状部１１４が前記凹部１２３から離脱しにくくなる結果、引出し１１０を引き出しにくくなる。このため、取っ手の設置位置に制約があるのが実情であり、この点も設計、意匠の制約の原因になっていた。
【０００６】
（３）収納ケース１００にあっては、外枠１２０の凹部１２３内にある引出し側レール１１３の山状部１１４を前記凹部１２３から離脱させるとき以外の、外枠１２０に対する引出し１１０の押し込み操作及び引き出し操作（ここでは、山状部１１４が外枠１２０の前面側（外側）に位置するときの引出し１１０の移動操作を指す）を出来るだけ軽い力で行えることが望ましい。しかしながら、山状部１１４が外枠１２０の前面側（外側）にあるとき、山状部１１４の外枠１２０の山状部乗り上げ部１２５からの距離が大きければ外枠１２０の底板１２１に対する引出し側レール１１３の接触範囲は小さいものの、山状部１１４の前記山状部乗り上げ部１２５からの距離が小さくなるにしたがい外枠１２０の底板１２１に対する引出し側レール１１３の接触範囲は増大し、山状部１１４が前記山状部乗り上げ部１２５付近にあるときには引出し側レール１１３の前記山状部１１４から奥側（図１０（ａ）、（ｂ）において右側）の部分が広範囲にわたって外枠１２０の底板１２１に接触するようになり、外枠１２０に対する引出し１１０の移動抵抗が増大することが避けられないため、移動抵抗の軽減が容易でないといった不満があった。
２本の引出し側レール１１３の山状部１１４が外枠１２０の底板１２１の凹部１２３に嵌り込むことで、外枠１２０内に収納された引出し１１０の収納状態の安定維持を実現する点では、少なくとも引出し１１０に山状部１１４が設けられ、外枠１２０の底板１２１に凹部１２３が設けられていれば足り、引出し１１０に２本の引出し側レール１１３を設けることは必須では無いものの、引出側レール１１３は外枠１２０の底板１２１に設けられている案内溝に案内されることで外枠１２０に対する引出し１１０の移動安定性を担保する点で有用であり、また、外枠１２０内に収納状態の引出し１１０のがたつき防止にも有効に寄与するものであるため、引出側レール１１３を省略することは好ましくない。
このため、２本の引出し側レールが設けられている引出しを具備し、引出し側レールの山状部が外枠の底板の凹部に嵌り込むことで外枠内に収納された引出しの収納状態の安定維持を実現できる構成の収納ケースについて、山状部を凹部から離脱させた状態における外枠に対する引出しの移動抵抗を低減できる技術の開発が求められていた。
【０００７】
本発明は、前記課題に鑑みて、外枠に収納した引出しと前記外枠の前記引出しの上方に位置する部分との間のクリアランスを隠すことができ、しかも設計自由度を向上でき、さらに、引出しのレール状突片に突設されている山状部を外枠の案内溝に形成されている凹部から離脱させた状態における外枠に対する引出しの移動抵抗の低減も実現できる収納ケースの提供を目的としている。
【課題を解決するための手段】
【０００８】
上記課題を解決するために、本発明では以下の構成を提供する。
第１の発明は、外枠と、該外枠に対し押し込み及び引き出しが可能である引出しと、を備えた収納ケースであって、前記引出しには、該引出しの底面から下方に突出して、該引出しの前記外枠に対する押し込み及び引出しの操作を行うための取っ手が設けられている前側から後側に亘って互いに平行に延びる２本のレール状突片が設けられ、前記外枠には、前記引出しの前記レール状突片が挿入される２本の案内溝が前後方向に延在して互いに平行に形成され、前記２本の案内溝はその深さ寸法が前記レール状突片の前記山状部を除く部分の前記引出しの底面からの突出寸法よりも小さく形成され、しかも後側に前記レール状突片の後側の下面に突出する山状部が嵌まる凹部が形成されていることを特徴とする収納ケースを提供する。
第２の発明は、前記レール状突片は、前記引出しの底面から突出先端に向かって先細りのテーパ形状に形成されていることを特徴とする第１の発明の収納ケースを提供する。
第３の発明は、前記レール状突片の後端が、前記引出しの前側に行くにしたがって前記引出しの底面からの突出寸法が増大するテーパ状部とされていることを特徴とする第１又は２の発明の収納ケースを提供する。
【発明の効果】
【０００９】
本発明に係る収納ケースによれば、外枠の案内溝の後側に引出しのレール状突片の後側の下面に突出する山状部が嵌まる凹部が形成されている構成であるため、前記凹部に嵌っている前記山状部を前記凹部から離脱させて外枠に収納状態の引出しを外枠から引き出す際に、引出しの前端部を上昇させる必要が無い。このため、引出しの前端部及び収納ケース全体の設計自由度を向上させることができ、例えば引出し全体が外枠内に収納され、しかも、外枠に収納した引出しと前記外枠の前記引出しの上方に位置する部分との間のクリアランスを隠すことができる構成とすることも可能となる。
また、前記凹部から離脱状態にある引出しの前記山状部が外枠の案内溝の溝底に当接し、引出しのレール状突片の前記山状部よりも前側部分が案内溝の溝底に当接することで、引出しが、その後側に比べて前側が低くなるように傾斜した状態となるため、レール状突片の案内溝内面に対する接触範囲を小さく抑えることができる。これにより、外枠に対する引出しの移動抵抗を低減することができる。
【図面の簡単な説明】
【００１０】
【図１】本発明の１実施形態の収納ケースを示す全体斜視図である。
【図２】図１の収納ケースの引出しをその底面側から見た構造を示す斜視図である。
【図３】図１の収納ケースの構成を示す正断面図であって、（ａ）は引出しが安定収納位置にあるとき、（ｂ）は引出しが傾斜状態にあるときを示す。
【図４】図１の収納ケースの引出しの当接用突部と外枠のストッパ用突起との関係を模式的に示す平面図である。
【図５】図１の収納ケースの外枠の底板部を示す斜視図である。
【図６】図１の収納ケースの外枠側の案内溝と引出しのレール状突片との関係を示す図であって、（ａ）は図３（ａ）のＡ−Ａ断面矢視図、図６（ｂ）は図３（ｂ）のＢ−Ｂ断面矢視図である。
【図７】（ａ）〜（ｃ）は図１の収納ケースの外枠側の案内溝と引出しのレール状突片との関係を示す図であって、特に案内溝の凹部とレール状突片の山状部との関係を示す拡大図である。
【図８】本発明に係る別態様の収納ケースを示す全体斜視図である。
【図９】図８の収納ケースの外枠の底板の案内溝の凹部付近を示す斜視図である。
【図１０】（ａ）、（ｂ）は、従来例の収納ケースの構成を説明する正断面図である。
【発明を実施するための形態】
【００１１】
以下、本発明に係る収納ケースの１実施形態について、図面を参照して説明する。
図１に示すように、前記収納ケース１０は、外枠２０と、該外枠２０に対し押し込み及び引き出しが可能である引出し３０とを備えて構成されている。
【００１２】
前記外枠２０は、前記引出し３０の案内用の一対のレール部２１ａ（図５参照）を有するレールユニット２１と、このレールユニット２１の四隅部に立設された支柱２２と、これら支柱２２によって前記レールユニット２１の上方に該レールユニット２１と平行に支持された天板２３とを具備する概略構成となっている。
図示例の外枠２０は具体的には、図５に示すように、四角枠状に形成されたレールユニット２１とこのレールユニット２１の四隅部に立設された支柱２２とが一体になっている構成の合成樹脂製の一体成形品である下枠部２１Ａと、この下枠部２１Ａの前記支柱２２によって前記レールユニット２１の上方に該レールユニット２１と平行に支持された天板２３とを具備する構成になっている。但し、本発明に係る収納ケースはこれに限定されず、レールユニット２１と、支柱２２と、天板２３とが互いに別体の部材である構成も採用可能であることは言うまでもない。
【００１３】
図示例のレールユニット２１は、前記引出し３０の移動を案内するための案内溝２６（後述）が形成され互いに平行に延在する一対のレール部２１ａと、これらレール部２１ａに直交する向きで延在し互いに離隔して設けられた一対の横材部２１ｂとによって構成された四角枠状の枠状部を有し、さらに、一対のレール部２１ａの間にてレール部２１ａと平行に延在し前記一対の横材部２１ｂ間を橋絡する中間橋絡部２１ｃを有する構成になっている。レール部２１ａの案内溝２６は、細長形状の前記レール部２１ａの長手方向（延在方向）に沿って延在形成されている。
【００１４】
但し、レールユニットとしては、案内溝２６が形成されている一対のレール部が互いに平行に設けられた構成のものであればよく、上述の構成に限定されさない。例えば、例えば中間橋絡部２１ｃを具備していない四角枠状のもの（前記枠状部のみからなるもの）、中間橋絡部２１ｃを複数本有するもの、一対のレール部の間を橋絡する横方向橋絡部を有するもの、なども採用可能である。
また、レールユニットとしては、一対のレール部２１ａが一枚の板状部材に設けられている構成としても良い。この場合、一対のレール部は前記板状部材と一体、別体のいずれであっても良い。
【００１５】
一方、引出し３０は、図１、図２に示すように、四角板状の底板部３１の外周に４つの側板部３２１、３２２、３３３，３３４が四角枠状に立設され、これら４つの側板部３２１、３２２、３３３，３３４によって構成される四角枠状の側壁部の前記底板部３１とは反対側が開放（開口部３３とされている）されている容器状の構成になっている。
引出し３０の４つの側板部３２１、３２２、３３３，３３４のうちのひとつには、収納ケース１０の使用者が手で把持して該引出し３０の外枠２０に対する押し込み及び引き出しの操作を行うための取っ手３４が設けられている。以下、この取っ手３４が設けられている側板部３２１を前板部とも言う。
【００１６】
なお、以下、引出し３０について、前記前板部３２１の側を「前側」、引出し３０の内側空間３０Ｓを介して前板部３２１とは反対側に位置する側板部３２２（以下、後板部とも言う）の側を「後側」として説明する。例えば図３（ａ）、（ｂ）において、左側が前側、右側が後側である。また、この図３（ａ）、（ｂ）において、引出し３０について、上側を上、下側を下として説明する。
また、図示例の引出し３０は、その全体が合成樹脂製の一体成形品となっている。但し、引出し３０としてはこれに限定されず、例えば前板部３２１が底板部３１とは別体の部材となっている構成など、複数の部材によって組み立てられた構成のものであっても良い。
【００１７】
図２、図３（ａ）、（ｂ）に示すように、前記引出し３０の底面３５（底板部３１の前記内側空間３０Ｓとは反対側の面。下面）には、その前側から後側に亘って互いに平行に延びる２本のレール状突片３６が突設されている。このレール状突片３６は、前記底面３５に立設された板状片になっている。
また、この２本のレール状突片３６の後側（後端部）には該レール状突片３６の下面から山形に突出する山状部３７が形成されている。
【００１８】
図３（ａ）、（ｂ）において、収納ケース１０及び外枠２０について、左側を前、右側を後、上側を上、下側を下として説明する。
図３（ａ）、（ｂ）に示すように、前記引出し３０は、前記外枠２０の前側から外枠２０の内側に挿脱可能になっている。外枠２０において、前記引出し３０は、外枠２０のレールユニット２１の一対のレール部２１ａ上に載置するようにして、レールユニット２１、天板２３、４本の支柱２２によって取り囲まれる内側の空間（外枠２０の内側空間）である引出し収納部２４内に、その前後方向を前記外枠２０の前後方向（図３（ａ）、（ｂ）において左右方向）に揃えて、前記前板部３２１が外枠２０の前側、後板部３２２が外枠２０の後側に配置される向きで収納される。また、外枠２０の前後方向寸法は前記引出し３０の前後方向寸法よりも若干長く、前記引出し３０はその全体を外枠２０の前記引出し収納部２４内に収納することができる。
【００１９】
図４に示すように、引出し３０は、外枠２０内側の引出し収納部２４に挿入するとき、前記前板部３２１の左右（図４において上下）両側に突設されている当接用突部３８が、外枠２０の前側にて左右に互いに離隔して配置されている一対の支柱２２（符号２２ａの支柱）に互いに対面する相手側の支柱２２ａの側に向かって突出するように形成されている突壁状のストッパ用突起２５に当接することで、外枠２０の後側へのそれ以上の移動が規制される。引出し３０はその当接用突部３８が外枠２０のストッパ用突起２５に当接する位置が、外枠２０に対する挿入限界位置となる。
【００２０】
図５に示すように、前記外枠２０のレールユニット２１の一対のレール部２１ａには、前記引出し３０の前記レール状突片３６が挿入される２本の案内溝２６が前後方向に延在して互いに平行に形成されている。
また、図３（ａ）、（ｂ）に示すように、この案内溝２６の後側（後端部）には、前記引出し３０を外枠２０内に収納したときに前記レール状突片３６の前記山状部３７が嵌まる凹部２７が形成されている。
【００２１】
図６（ａ）は図３（ａ）のＡ−Ａ断面矢視図、図６（ｂ）は図３（ｂ）のＢ−Ｂ断面矢視図である。
図６（ａ）に示すように、前記２本の案内溝２６は、その深さ寸法ｄが前記レール状突片３６の前記山状部３７以外の部分の前記引出し３０の底板部３１からの突出寸法ｔ（底面３５からの突出寸法）よりも小さく形成されている。換言すれば、この収納ケース１０は、前記引出し３０のレール状突片３６の山状部３７以外の部分の引出し３０の底面３５からの突出寸法ｔが、前記レールユニット２１のレール部２１ａの案内溝２６の深さ寸法ｄよりも大きくしてある。このため、図３（ａ）に示すように、外枠２０内に収納された引出し３０の前記レール状突片３６の前記山状部３７が案内溝２６の凹部２７に嵌り込んだ状態（このときの引出し３０の位置を、以下、安定収納位置とも言う）において、前記引出し３０はその底面３５が外枠２０の前記レールユニット２１のレール部２１ａから上方に離隔した位置となるように配置される。
【００２２】
図７（ａ）に示すように、前記凹部２７は具体的には、その最深部２７１から前側の傾斜面である前側傾斜面２７２の傾斜角度θ１（案内溝２６の凹部２７以外の箇所（主溝部）の底面２６ａに対する傾斜角度）が前記最深部２７１から後側の傾斜面である後側傾斜面２７３の傾斜角度θ２（案内溝２６の凹部２７以外の箇所（主溝部）の底面２６ａに対する傾斜角度）よりも大きい谷形に形成されている。
一方、引出し３０の山状部３７は、前記凹部２７と対応する山形に形成されており、図７（ａ）に示すように、前記凹部２７に嵌ったとき（引出し３０が安定収納位置にあるとき）に、その頂部３７１から前後両側の傾斜面３７２、３７３が前記凹部２７の最深部２７１を介して前後両側の傾斜面２７２、２７３に当接することにより、前記頂部３７１が前記凹部２７の最深部２７１上に位置決めされる。このとき、山状部３７の頂部３７１から前側の傾斜面（前側傾斜面３７２）が凹部２７の前側傾斜面２７２に面接触するようにして当接し、山状部３７の頂部３７１から後側の傾斜面（後側傾斜面３７３）が凹部２７の後側傾斜面２７３に面接触するようにして当接する。
【００２３】
外枠２０の前方へ引き出された状態の引出し３０を押し込み操作によって外枠２０内に収納する際（例えば引出し３０を急動させず、ゆっくりと押し込む場合）には、引出し３０の山状部３７の頂部３７１が前記凹部２７の前側傾斜面２７２上に到達すれば、使用者がそれ以上の押し込み操作を行わなくても、引出し３０の自重によって前記山状部３７が前記凹部２７の前側傾斜面２７２を滑動して凹部２７に嵌り込む。これにより、引出し３０が外枠２０内に自動的に引き込まれるようにして収納される。
また、安定収納位置にある引出し３０は、凹部２７に嵌り込んでいる山状部３７が前記凹部２７から前側に引き出されない限り、外枠２０に対する収納状態を安定に保つことができる。
【００２４】
図７（ａ）に示すように、この収納ケース１０は、引出し３０の当接用突部３８（図４参照）が外枠２０のストッパ用突起２５に当接したときに、引出し３０の山状部３７が外枠２０の凹部２７に嵌り、前記山状部３７の頂部３７１が前記凹部２７の最深部２７１上に位置決めされることで、引出し３０が安定収納位置に安定収納されるように構成されている。
【００２５】
なお、引出し３０の山状部３７としては、上述のように、凹部２７の前側傾斜面２７２に面接触可能な前側傾斜面３７２と、凹部２７の後側傾斜面２７３に面接触可能な後側傾斜面３７３とを有する構成に限定されず、例えばその前側傾斜面及び後側傾斜面の一方又は両方を湾曲面としても良い。この場合も、山状部３７としては、その前後両側の傾斜面と凹部２７の前後両側の傾斜面２７２、２７３との当接によって、該山状部３７の頂部３７１が前記凹部２７の最深部２７１上に位置決めされる山形に形成される。
【００２６】
図３（ｂ）に示すように、引出し３０が外枠２０に対して前記安定収納位置から外枠２０の前方へ若干引き出されたところに位置する場合は、前記凹部２７から離脱状態にある引出し３０の前記山状部３７が外枠２０の案内溝２６の溝底（案内溝２６の底面２６ａ）に当接し、引出し３０のレール状突片３６の前記山状部３７よりも前側部分が案内溝２６の溝底に当接することで、引出し３０は、その後側に比べて前側が低くなるように傾斜した状態（以下、傾斜状態とも言う）となる。この傾斜状態では、レール状突片３６は、山状部３７、及び、このレール状突片３６において前記山状部３７よりも前側の前記案内溝２６の溝底との当接位置付近、の２箇所のみが案内溝２６内面との接触箇所となる。したがって、レール状突片３６の案内溝２６内面に対する接触範囲を小さく抑えることができる。
【００２７】
外枠２０の前側から引き出された状態の引出し３０を外枠２０内に押し込むとき、及び、安定収納位置から引出し３０を引き出すときに、引出し３０が前記傾斜状態を保ったまま外枠２０の前記レールユニット２１のレール部２１ａに沿ってスライド移動することで、外枠２０（詳細には前記レールユニット２１のレール部２１ａ）に対する引出し３０の移動抵抗を低く抑えることができる。
図１０（ａ）、（ｂ）を参照して説明した従来構成の収納ケース１００では、既述のように、外枠１２０に対する引出し１１０の押し込み操作及び引き出し操作において、引出し側レール１１３の前記山状部１１４から奥側（図１０（ａ）、（ｂ）において右側）の部分が広範囲にわたって外枠１２０の底板１２１に接触して、外枠１２０に対する引出し１１０の移動抵抗が増大するといった現象が生じるが、本発明に係る収納ケース１０は、上述のように外枠２０に対する引出し３０の押し込み操作及び引き出し操作において引出し３０が傾斜状態を保ったまま外枠２０の前記レールユニット２１のレール部２１ａに沿ってスライド移動するため、引出し３０のレール状突片３６がその広範囲にわたって案内溝２６の内面に接触するといった現象は生じず、外枠２０から引き出された状態の引出し３０の外枠２０に対する押し込み操作及び外枠２０内に収納状態にある引出し３０の引き出しの操作における山状部３７が凹部２７から離脱状態にあるときの引出し３０の移動操作を軽い力で行うことができる。
【００２８】
さらに、図６（ａ）、（ｂ）に示すように、前記レール状突片３６（山状部３７を含む）は、前記引出し３０の底板部３１から突出先端（図６（ａ）、（ｂ）において下端）に向かって先細りのテーパ形状に形成されている板状片となっている。レール状突片３６の山状部３７の頂部３７１の先端の幅Ｗ１（図６（ｂ）参照。頂部３７１先端におけるレール状突片３６の厚み寸法）は、レール状突片３６の前記山状部３７以外の箇所（以下、主片部３６１）の先端面（以下、下面３６２）の幅Ｗ２（図６（ａ）参照。下面３６２におけるレール状突片３６の厚み寸法）に比べて小さい。
【００２９】
前記案内溝２６の溝幅Ｗ２６（図６（ｂ）参照）は、引出し３０が安定収納位置にあるとき、図６（ａ）に示すようにレール状突片３６の主片部３６１をがたつきが殆ど（あるいは全く）生じないように収納できる寸法に設定されている。
このため、図３（ａ）、図６（ａ）に示すように、引出し３０が安定収納位置にあるとき、引出し３０にはがたつきが殆ど（あるいは全く）生じず、安定した収納状態が得られる。
【００３０】
一方、図３（ｂ）、図６（ｂ）に示すように、凹部２７から離脱状態にある前記山状部３６１が前記案内溝２６の前記凹部２７よりも前側に位置する部分に当接され、引出し３０が傾斜状態になっているときには、引出し３０が安定収納位置にあるときに比べて、案内溝２６の溝幅方向両側の内壁面と、レール状突片３６の案内溝２６に挿入されている部分との間のクリアランスが大きくなるため、案内溝２６の内壁面とレール状突片３６との接触によって生じる引出し３０の移動抵抗を低く抑えることができる。このことは、傾斜状態にある引出し３０の案内溝２６の長手方向（前後方向）に沿う方向の移動を軽い力で楽に行えるようにすることに有効に寄与する。
【００３１】
図７（ｂ）、（ｃ）に示すように、前記レール状突片３６の後端、換言すれば、山状部３７の後端は、前記引出し３０の前側に行くにしたがって前記引出し３０の底板部３１からの突出寸法が増大する形状のテーパ状部３６３とされている。
この収納ケース１０にあっては、引出し３０は、前板部３２１が外枠２０から前方（外側）に位置するとき、該引出し３０の前端部が後端部に比べて上側となるように傾動させることが可能であり、使用者が、外枠２０に対する引出し３０の押し込み操作あるいは引き出し操作を行う際に、引出し３０をその前端部が後端部に比べて上側となるように傾動させる可能性がある。前記レール状突片３６の後端がテーパ状部３６３とされている構成であれば、例えば前記レール状突片３６の後端をテーパ状部３６３でなく直角のエッジとした構成に比べて、使用者が引出し３０をその前端部が後端部に比べて上側となるように傾動させても、レール状突片３６の後端や、前記レールユニット２１（詳細にはレール部２１ａ）の案内溝２６溝底を形成している部分を傷付けたり、変形させるといった不都合が生じにくく、滑らかな操作感の長期安定維持の点で有利である。また、使用者が引出し３０をその前端部が後端部に比べて上側となるように傾動させても、傾動させていないときに比べて、外枠２０に対する引出し３０の押し込み操作及び引き出し操作の操作感に殆ど（あるいは全く）変化が無く、使用者による引出し３０の操作方向のばらつきに対して滑らかな操作感を安定に確保できる。
【００３２】
特に、外枠２０の案内溝２６の凹部２７の後側傾斜面２７３は、引出し３０の外枠２０に対する押し込み操作時に前記山状部３７が滑動することで該山状部３７の案内溝２６の凹部２７に対する嵌合動作を円滑にする部分であるとともに、前記山状部３７を案内溝２６の凹部２７に嵌め込む際にレール状突片３６の後端が衝突しやすい箇所であるため、レール状突片３６の後端がテーパ状部３６３とされている構成は、レール状突片３６の後端が直角のエッジとされている構成に比べて、後側傾斜面２７３の傷付きや変形の防止の点で特に有利であり、これにより、前記嵌合動作が円滑になされる状態を長期にわたって維持する点でも有効である。
なお、図示例のテーパ状部３６３は、引出し３０の前側に行くにしたがって前記引出し３０の底板部３１からの突出寸法が増大する形状の湾曲部となっているため、案内溝２６の凹部２７の後側傾斜面２７３の傷付きや変形の防止の点で特に好ましい。
但し、本発明は、レール状突片３６の後端が直角のエッジとされている構成も含む。
【００３３】
図３（ａ）に示すように、引出し３０の４つの側板部のうち、前板部３２１を除く３つの側板部３２２、３２３、３２４と、外枠２０の天板２３との間には、傾斜状態の引出し３０の後端部の天板２３との接触を回避できる大きさのクリアランスＣが確保されている。
また、引出し３０の前板部３２１は、外枠２０に収納したときに前記クリアランスＣを隠すために、３つの側板部３２２、３２３、３２４よりも上方に突出する上部突出部３２５を有している。引出し３０を外枠２０に収納したときには、上部突出部３２によって前記クリアランスＣが隠され、収納ケース１０の前側にクリアランスＣが開口しないため、前記上部突出部３２によって引出し３０内部への埃の侵入を防ぐことができる。
【００３４】
この収納ケース１０によれば、外枠２０に収納状態の引出し３０を外枠２０から引き出す際に、前記凹部２７に嵌っている前記山状部３７を前記凹部２７から離脱させるが、この収納ケース１０は、外枠２０の案内溝２６の後側に引出し３０のレール状突片３６の後側の下面３６２に突出する山状部３７が嵌まる凹部２７が形成されている構成であるため、引出し３０の前端部を上昇操作する必要が無い。このため、引出し３０の前端部及び収納ケース１０全体の設計自由度を向上させることができる。図３（ａ）に例示したように、この収納ケース１０は、引出し３０全体が外枠２０内に収納され、引出し３０の前板部３２１の上部突出部３２５によって、引出し３０と前記外枠３０の天板２３との間の前記クリアランスＣを隠す構成を採用することが可能である。この構成においても、外枠２０に対する引出し３０の押し込み及び引き出しを円滑に行えることは言うまでも無い。
また、この収納ケース１０によれば、外枠２０に対する引出し３０の押し込み操作及び引き出し操作の際に、傾斜状態の引出し３０が案内溝２６の長手方向に移動する際の移動抵抗を低減でき、引出し３０を軽い力で移動させることができるといった優れた効果が得られる。
【００３５】
なお、本発明は、上述の実施形態に限定されず、適宜設計変更可能である。
例えば、図８、図９に示すように、上述の実施形態の引出し３０の幅寸法（底板部３１上面において前後方向に直交する方向）を前後方向寸法に比べて短くした構成の引出し３０Ａと、この引出し３０Ａを収納するための細長形状の外枠４０とを具備してなる収納ケース５０も採用可能である。
この収納ケース５０の外枠４０は、前記引出し３０Ａの案内用の一対のレール部４１ａを有する長方形枠状のレールユニット４１と、このレールユニット４１の幅方向（短手方向）両側に立設された一対の側板４２と、この一対の側板４２上に前記レールユニット４１と平行に設けられた天板４３と、前記レールユニット４１の長手方向片端に立設された奥板４４とを具備し、前記レールユニット４１の長手方向に沿って延在する細長形状に形成されている。外枠４０の長手方向において、前記奥板４４が設けられている端部（奥端）とは反対側の端部（前端）は引出し３０Ａの挿脱用の開口部４５とされている。
前記レールユニット４１は、案内溝２６が形成され互いに平行に延在する一対のレール部４１ａの延在方向（長手方向）を長手方向とする長方形枠状になっている。前記案内溝２６は細長形状の前記レール部２１ａの長手方向（延在方向）に沿って延在形成されている。図９に示すように、前記案内溝２６の凹部２７は、案内溝２６の奥端部（奥板４４側の端部）に形成されている。
【符号の説明】
【００３６】
１０…収納ケース、２０…外枠、２１…底板、２２、２２ａ…支柱、２３…天板、２４…引出し収納部、２５…ストッパ用突起、２６…案内溝、２６ａ…底面、２７…凹部、２７１…最深部、２７２…前側傾斜面、２７３…後側傾斜面、３０、３０Ａ…引出し、３１…底板部、３２１…側板部、前板部、３２２…側板部、後板部、３２３、３２４…側板部、３２５…上部突出部、３３…開口部、３４…取っ手、３５…底面、３６…レール状突片、３６１…主片部、３６２…下面、３６３…テーパ状部、３７…山状部、３７１…頂部、３７２…前側傾斜面、３７３…後側傾斜面、３８…当接用突部、４０…外枠、４１…底板、４２…側板、４３…天板、４４…四角枠体、４５…開口部。
【図１】
2010200973.tif 000003
【図２】
2010200973.tif 000004
【図３】
2010200973.tif 000005
【図４】
2010200973.tif 000006
【図５】
2010200973.tif 000007
【図６】
2010200973.tif 000008
【図７】
2010200973.tif 000009
【図８】
2010200973.tif 000010
【図９】
2010200973.tif 000011
【図１０】
2010200973.tif 000012